【手続補正書】
【提出日】平成20年3月13日(2008.3.13)
【手続補正１】
【補正対象書類名】特許請求の範囲
【補正対象項目名】請求項１２
【補正方法】変更
【補正の内容】
【請求項１２】
前記撮像モジュールは、撮影対象の画像を光電変換して前記撮影対象の画像データを取得する光電変換素子を有する請求項１〜１１のいずれか１項に記載の撮影システム。
【手続補正２】
【補正対象書類名】明細書
【補正対象項目名】０００１
【補正方法】変更
【補正の内容】
【０００１】
本発明は、所定の撮影時空間内の撮影空間あるいは撮影領域内において、その撮影時間内に撮影された所定の撮影対象、すなわち被写体の画像を撮影対象との距離によらず、対象物の大きさを一定の大きさで撮影でき、所定の撮影時空間内の所定の連続３次元空間の全空間における所定の撮影時間内の任意の時点における画像、特に動画像を、高精細かつリアルタイムで記録することのできる撮影システムおよび撮影方法に関し、特に、競技場や遊技場、学校、店舗、駅、空港、道路、駐車場、自動車、鉄道、船舶、航空機、工事現場、農場、河川、もしくは山岳などに設けられ、スポーツイベントなどの撮影、防犯のための監視もしくは撮影、事故の検証、または農作物、自然現象もしくは災害の観察または観測などに用いられる撮影システムおよび撮影方法に関するものである。
【手続補正３】
【補正対象書類名】明細書
【補正対象項目名】０００７
【補正方法】変更
【補正の内容】
【０００７】
また、特許文献３には、撮像素子と、焦点距離の異なる２つのレンズ部分を持つ固定焦点レンズ（多重焦点レンズ）とを持ち、撮像素子に近景の被写体および遠景の被写体を結像（合焦）させることができ、近景および遠景の両方にピントが合った画像を得ることができるテレビカメラ（撮像装置）を複数台（実施例では１６台）並べてアレイ化することにより、カメラアレイによって撮影された広い範囲の画像から、複数のユーザが同時かつ独立にピントずれのない焦点の合った画像を選択することができる画像システムが開示されている。
【手続補正４】
【補正対象書類名】明細書
【補正対象項目名】００１８
【補正方法】変更
【補正の内容】
【００１８】
さらに、特許文献４に開示のカメラでは、１台のカメラで距離の異なる被写体の全てにピントがあった状態の写真を得ることができるものの、ピントをずらして複数回の撮影が必要であり、撮影範囲内で同時刻で発生した事象を全て捉えることができないという問題点がある。このため、被写体が移動した場合には、撮影開始時における画像を得ることができない。
【手続補正５】
【補正対象書類名】明細書
【補正対象項目名】００３０
【補正方法】変更
【補正の内容】
【００３０】
また、本発明の撮影システムおよび撮影方法においては、対象物へのピントの調整が不要であるとともに、カメラをチルトまたはパニングさせる必要がなく、かつ撮像モジュールを直接操作するオペレータを必要とせず、撮影時空間内の広範囲にわたり、鮮明度の高い詳細な画像情報を得ることができる。このように、本発明の撮影システムおよび撮影方法によれば、撮影時空間内の任意の時点において同じ大きさの対象物を撮影した場合、常に同じ大きさの対象物画像となるように撮像することができるとともに、得られる画像が歪むことがない。また、本発明の撮影システムおよび撮影方法によれば、撮影時空間内において、同一対象物を常に同じ大きさで撮像することもでき、得られる画像が歪むこともない。
これにより、本発明の撮影システムおよび撮影方法によれば、最適のシャッターチャンスを逃すことがなくなる。また、ズーム機構およびオートフォーカス機構などのレンズの駆動機構が不要になるため、構成を簡素化することができる。このように、本発明の撮影システムおよび撮影方法によれば、画像記録を容易に行うことができる。
【手続補正６】
【補正対象書類名】明細書
【補正対象項目名】００３８
【補正方法】変更
【補正の内容】
【００３８】
なお、本発明の撮影システム１０において、撮影部１２の複数の撮像ユニット１２ａ（後述する撮像モジュール２６（図５参照））の各々は、所定の焦点距離、および撮影システム１０が撮影対象とする撮影空間Ｓの内の予め設定された所定の位置に合焦位置を持ち、この合焦位置に対して被写界深度の範囲（以下、合焦範囲をという）内を、予め設定された撮影対象領域となる所定の撮影対象空間とするもので、この撮影対象空間内に存在する撮影対象となる被写体を撮影するものである。各撮像ユニット１２ａにおいては、合焦範囲内では、同じ大きさの対象物を撮影した場合、すなわち、同一対象物を撮影した場合、常に同じ大きさで撮影する。例えば、同じ大きさの対象物（同一対象物）を撮影して、本実施例の各撮像ユニット１２ａにより得られる同じ対象物の画像（同一対象物画像）は撮影範囲Ｓ内では全て同じ大きさとなるように配置されている。
さらに、全ての撮像ユニット１２ａは、撮影タイミングが同期されており、同じタイミングで撮影空間Ｓを撮影している。この撮影タイミングは、例えば、制御部２２により発生されたクロックなどにより同期されている。
【手続補正７】
【補正対象書類名】明細書
【補正対象項目名】００３９
【補正方法】変更
【補正の内容】
【００３９】
ここで、図３は、本実施例の撮影システムの撮像ユニットの構成の一例を示すブロック図である。なお、本発明においては、複数の撮像ユニット１２ａの構成は、基本的に、合焦位置が異なる以外は、すなわち、焦点距離により後述する撮像モジュールのレンズ構成が異なる以外は、全て同一であるので、図面に示す撮像ユニット１２ａを代表例として説明し、それ以外のものについての説明は省略する。
【手続補正８】
【補正対象書類名】明細書
【補正対象項目名】００５４
【補正方法】変更
【補正の内容】
【００５４】
この場合、図４に示すように、モニタ２４の画面２４ａを、撮像モジュール２６の設けられた数以上、例えば、１６の表示領域２４ｂに分割して、各撮像モジュール２６により得られた１４個の画像の全てを表示領域２４ｂにリアルタイムで表示させる。なお、モニタ２４は、１６に分割されているため、表示領域２４ｃ、２４ｄは撮像モジュール２６による画像が表示されない。
【手続補正９】
【補正対象書類名】明細書
【補正対象項目名】００９２
【補正方法】変更
【補正の内容】
【００９２】
本実施例の撮影システム１０ｃは、一時記憶部１４および警報部２３が設けられており、この警報部２３は、制御部２２により制御される。
本実施例の一時記憶部１４は、第１の実施例の撮影システム１０の記録部１８（図２参照）の機能も兼ねるものである。また、一時記憶部１４に記憶された画像データは、制御部２２に出力される。一時記憶部１４のメモリ１４ａとしては、例えば、ＳＲＡＭ、またはＤＲＡＭなどの半導体記憶素子、ハードディスク、磁気記録テープ、またはこれらを組み合わせたものが用いられる。
【手続補正１０】
【補正対象書類名】明細書
【補正対象項目名】０１０８
【補正方法】変更
【補正の内容】
【０１０８】
ここで、図１３は、本発明の第４の実施例に係る撮影システムの撮像ユニットの配置状態を示す模式図である。なお、図１３において、撮像ユニット１２ａは黒丸（●）で示す。
図１３に示すように、本実施例においては、各平面α、β、γの縁部に所定のピッチｄα、ｄβ、ｄγで配置されている。撮像ユニット１２ａは、焦点距離によらず、各ピッチｄα、ｄβ、ｄγを同じにし、同じ数均等に配置することより、本発明の効果を達成することができる。しかしながら、この場合、撮像領域の重なりが増加するとともに、撮像モジュールの数が多くなり、記録手段の容量を増やす必要がある。これにより、制御部の負担も多くなる。このため、遠くの撮影範囲Ｓ４を撮像する撮像ユニット１２ａの数を多くして、ピッチｄγを小さくする。すなわち、撮像モジュールを密に配置する。近くの撮影範囲Ｓ２を撮像する撮像ユニット１２ａの数を少なくして、ピッチｄγを大きくする。すなわち、撮像モジュールを疎に配置する。このように、撮影範囲に応じて、撮像モジュールの数を適宜設定することにより、撮像モジュールの数を、死角が生じない状態で最も少なくすることができる。